(57)【要約】【課題】電力の消費を抑えつつ、キーを照光することができる携帯電子機器を提供する。【解決手段】携帯電話機１は、第２筐体フロントケース６と、第２筐体フロントケース６の表面に配設され、第２筐体フロントケース６に照射されている外部光を検出する紫外線検出部１５と、第２筐体フロントケース６の表面に配設され、紫外線を受光して可視光を発光可能なキートップ１３と、第２筐体フロントケース６内部に配設され、キートップ１３に紫外線を照射可能な紫外線発光部１６と、第２筐体フロントケース６内部に配設され、スイッチ３２が形成された回路基板と、を有し、紫外線発光部１６は紫外線検出部１５が検出した紫外線に応じて発光状態が制御される。【選択図】図６
2010232936.tif 000002
【特許請求の範囲】
【請求項１】
筐体と、
前記筐体の表面に配設され、前記筐体に照射されている外部光を検出する外部光検出部と、
前記筐体の表面に配設され、紫外線を受光して可視光を発光可能なキートップと、
前記筐体内部に配設され、前記キートップに紫外線を照射可能な紫外線発光部と、
前記筐体内部に配設され、スイッチが形成された回路基板と、を有し、
前記紫外線発光部は前記外部光検出部が検出した外部光に応じて発光状態が制御される
携帯電子機器。
【請求項２】
前記紫外線発光部の前記制御は、前記外部光検出部が検出する外部光の強度に応じて制御される
請求項１に記載の携帯電子機器。
【請求項３】
前記外部光検出部で検出しているのは紫外線である
請求項１又は２に記載の携帯電子機器。
【請求項４】
前記紫外線発光部は、前記キートップの直下又は近傍に配置される
請求項１〜３いずれか１項に記載の携帯電子機器。
【請求項５】
前記紫外線発光部は、隣接するキートップの間に配設されており、
前記隣接するキートップの両者を照光可能である
請求項１〜４いずれか１項に記載の携帯電子機器。
【請求項６】
前記キートップは、
基体と、
前記キートップの表面に印刷されたキー図形と、を有し、
キー図形は紫外線を受光して可視光を発光可能な材料によって印刷されている
請求項１〜５いずれか１項に記載の携帯電子機器。
【請求項７】
前記キートップは、
基体と、
キートップの表面に印刷されたキー図形と、を有し、
前記基体は紫外線を受光して可視光を発光可能な材料を含んで構成されている
請求項１〜５いずれか１項に記載の携帯電子機器。
【発明の詳細な説明】
【技術分野】
【０００１】
本発明は携帯電話機、ＰＤＡ、携帯型ゲーム機、携帯用テレビ、携帯用ラジオ等の携帯電子機器に関する。
【背景技術】
【０００２】
現在、携帯電子機器のキートップを、内部に配置した発光部材によって照光することが行われている。これによって、ユーザは暗闇でもキー位置の特定をすることができる。
特許文献１には、携帯電子機器内部に紫外線を照射する発光部材を配置し、この紫外線を、紫外線を受けて可視光を発光する蛍光部材に照射して、キーを照光する携帯電子機器が記載されている。
【先行技術文献】
【特許文献】
【０００３】
【特許文献１】特開２００２−１５６３６号公報
【発明の概要】
【発明が解決しようとする課題】
【０００４】
しかし、特許文献１に記載された方法では、日光の照射が行われている場合であっても、発光部材は紫外線を照射してキーを照光してしまう。
このように、日光の照射がある場合であっても発光部材を発光させると、その分、電力を消費してしまう。
かかる事態は、電池の容量に限りのある携帯電子機器には好ましくない。
【０００５】
本発明の目的は、電力の消費を抑えつつ、キーを照光することができる携帯電子機器を提供することである。
【課題を解決するための手段】
【０００６】
本発明の携帯電子機器は、筐体と、前記筐体の表面に配設され、前記筐体に照射されている外部光を検出する外部光検出部と、前記筐体の表面に配設され、紫外線を受光して可視光を発光可能なキートップと、前記筐体内部に配設され、前記キートップに紫外線を照射可能な紫外線発光部と、前記筐体内部に配設され、スイッチが形成された回路基板と、を有し、前記紫外線発光部は前記外部光検出部が検出した外部光に応じて発光状態が制御される。
【０００７】
好適には、前記紫外線発光部の前記制御は、前記外部光検出部が検出する外部光の強度に応じて制御される。
【０００８】
好適には、前記外部光検出部で検出しているのは紫外線である。
【０００９】
好適には、前記紫外線発光部は、前記キートップの直下又は近傍に配置される。
【００１０】
好適には、前記紫外線発光部は、隣接するキートップの間に配設されており、前記隣接するキートップの両者を照光可能である。
【００１１】
好適には、前記キートップは、基体と、前記キートップの表面に印刷されたキー図形と、を有し、キー図形は紫外線を受光して可視光を発光可能な材料によって印刷されている。
【００１２】
前記キートップは、基体と、キートップの表面に印刷されたキー図形と、を有し、前記基体は紫外線を受光して可視光を発光可能な材料を含んで構成されている。
【発明の効果】
【００１３】
本発明によると、電力の消費を抑えつつ、キーを照光することができる携帯電子機器を提供することができる。
【図面の簡単な説明】
【００１４】
【図１】本発明の実施形態に係る携帯電話機の外観を開状態で示す斜視図である。
【図２】第２筐体フロントケースの正面図である。
【図３】キートップの正面図である。
【図４】図２におけるＩＶ−ＩＶの断面図である。
【図５】図１の携帯電話機１の信号処理系を示すブロック図である。
【図６】本発明における紫外線発光部の制御方法を表すフローチャートである。
【図７】本発明の変形例を説明するフローチャートである。
【発明を実施するための形態】
【００１５】
図１は、本発明の実施形態に係る携帯電話機１の外観を開状態で示す斜視図である。
【００１６】
携帯電話機１は、いわゆる折り畳み式の携帯電話機１として構成されており、開状態と閉状態との間で互いに回動可能に連結部９によって連結された第１筐体２及び第２筐体３を有している。図１は、第１筐体２及び第２筐体３の開状態を示している。
第１筐体２は、第２筐体３と対向する部分を構成する第１筐体フロントケース４と、第２筐体３とは反対側部分を構成する第１筐体リアケース５とを有している。
第２筐体３は、第１筐体２と対向する部分を構成する第２筐体フロントケース６と、第１筐体２とは反対側部分を構成する第２筐体リアケース７とを有している。
【００１７】
第１筐体フロントケース４及び第１筐体リアケース５はネジ等により互いに固定され、第１筐体フロントケース４及び第１筐体リアケース５の間に形成された空間に種々の電子部材を収容する収容空間を構成する。
第２筐体フロントケース６及び第２筐体リアケース７もネジ等により互いに固定され、第２筐体フロントケース６及び第２筐体リアケース７の間に形成された空間に種々の電子部材を収容する収容空間を構成する。
これらの第１筐体フロントケース４、第１筐体リアケース５、第２筐体フロントケース６及び第２筐体リアケース７は、例えば、樹脂により形成されている。
【００１８】
なお、方向を示すときは、第１筐体リアケース５から第１筐体フロントケース４に向かう方向を表面方向（図１においては、紙面手前の方向）といい、第１筐体フロントケース４から第１筐体リアケース５に向かう方向を裏面方向（図１においては、紙面奥手の方向）という。
同様に第２筐体リアケース７から第２筐体フロントケース６に向かう方向を表面方向（図１においては、紙面手前の方向）といい、第２筐体フロントケース６から第２筐体リアケース７に向かう方向を裏面方向（図１においては、紙面奥手の方向）という。
【００１９】
また、第１筐体２において連結部９に向かう方向を結合部方向（図１の第１筐体２においては、紙面下の方向）といい、その逆を結合部反対方向（図１の第１筐体２においては、紙面上方向）という。
同様に、第２筐体３においても、連結部９に向かう方向を結合部方向（図１の第２筐体３においては、紙面上の方向）といい、その逆を結合部反対方向（図１の第２筐体３においては、紙面下の方向）という。
【００２０】
さらに、図１のように第１筐体２を上にし、第２筐体３を下にした状態とした時に、右側に来る側面を右側面１１とし、左側に来る側面を左側面１２という。
そして、右側面１１側に向かう方向を右側面方向（図１においては、紙面右の方向）といいい、左側面１２面に向かう方向を左側面方向（図１においては、紙面左の方向）という。
【００２１】
図１のように、第１筐体フロントケース４には表示部８が配置されている。
この表示部８は、携帯電話機１の状態、ユーザの操作内容、発信先電話番号、電子メールの内容の表示、ゲーム画面等の様々な情報を表示するためのものである。
また、表示部８はＬＣＤ（液晶ディスプレイ）、ＯＬＥＤ（Organic light-emitting diode：有機ＥＬ）等によって構成されている。
【００２２】
また、図１のように、第２筐体フロントケース６の表面方向には、入力部１０が配置されている。この入力部１０をユーザが操作することによって、携帯電話機１に命令の入力、文字の入力等がなされる。
【００２３】
図２は、第２筐体フロントケース６の正面図である。
【００２４】
図２のように、第２筐体フロントケース６には複数のキートップ１３が配置されている。
このキートップ１３が、第２筐体フロントケース６の外部表面に露出している。
ユーザはキートップ１３を押圧することによって、携帯電話機１にキー入力を行っている。
【００２５】
第２筐体フロントケース６内部には、複数の紫外線発光部１６が配置されている。紫外線発光部１６は、第２筐体フロントケース６の内部に配置されており、第２筐体フロントケース６の外部から直接視認することはできない。
また、紫外線発光部１６は、２つのキートップ１３の間で、かつ、キートップ１３の近傍に配置されている。なお、この「近傍」については後述する。
【００２６】
第２筐体フロントケース６には、紫外線検出部１５が配置されている。そして、この紫外線検出部１５は携帯電話機１の外部から照射される紫外線を検出している。
携帯電話機１の外部から照射される紫外線とは、たとえば日光に含まれる紫外線、室内で紫外線灯によって照射されている紫外線等である。
【００２７】
図３は、キートップ１３の正面図である。
【００２８】
図３のように、キートップ１３は、略円筒形状を有している。
そして、その２つの底面のうち携帯電話機１の外側に面した面を、キートップ表面部１９という。このキートップ表面部１９に、文字、記号等からから形成されるキー図形１８が印刷されている。
また、略円筒形状のキートップ１３の側面をキートップ外周部１７という。
このキートップ外周部１７の長さは、後述するキー周辺部２６の厚さと飾りシート２０との厚さとほぼ同一、またはそれよりも厚く構成される（図４参照のこと）。
なお、キー図形１８は必ずしも印刷である必然性はなく、例えば、キー図形１８の形状にキートップ１３に突起又は溝を形成してもよい。さらに、突起又は溝を形成した上でその表面に印刷してもよい。
【００２９】
キートップ１３に形成されたキー図形１８を照光する方法として、面照光と文字照光という方法がある。
図３（ａ）は、面照光による方法を表している。
面照光とは、面照光とは、キートップ１３の表面に光を透過しない色をキー図形１８の形に印刷し、キー図形１８を照光させないことによる方法である。
この場合には、キートップ１３の基本となる例えば、略円筒状形状を有している基体３４内部に蛍光部材を含んで構成する。
そして、キー表面には光を透過しない材料によってキー図形１８を構成する。
【００３０】
図３（ｂ）は、文字照光による方法を表している。
文字照光とは、キー図形１８の部分を除いた部分にキートップ１３の表面、つまり、基体３４の表面に光を透過しない色を印刷して、キー図形１８のみを照光させる方法である。
この場合には、面照光の場合とは異なり、キートップ１３に印刷されるキー図形１８を蛍光材料から構成する。これによって、文字のみを照光させることができる。
【００３１】
図４は、図２におけるＩＶ−ＩＶの断面図である。
【００３２】
第２筐体フロントケース６と第２筐体リアケース７とが、その内面どうしを対向させて結合している。
そして、それによって形成される内部空間に、内部筐体２４が配置されている。内部筐体２４の裏面方向には、着脱可能なバッテリ２５が配置されている。このバッテリ２５は携帯電話機１に電力を供給している。
さらに、裏面方向には、バッテリカバー２７が配置されている。
【００３３】
内部筐体２４の、表面方向には、スイッチ３２が実装される回路基板２３が配置されている。この回路基板２３は、さらに、紫外線量を検出する紫外線検出電子部品２２及び、紫外線発光部１６が実装されている。
紫外線発光部１６は、例えば、ＬＥＤ（Light Emitting Diode:発光ダイオード）によって構成されている。
また、紫外線検出電子部品２２は、たとえば紫外線を受けると電流を発生させるフォトダイオードによって構成される。
なお、この紫外線検出電子部品２２は、より好適には、紫外線の量に応じて電流量が変化するものが好ましい。
【００３４】
スイッチ３２は、例えば、固定接点３０と、ドーム状の板金であるメタルドーム２９により構成されている。メタルドーム２９は固定接点３０を覆っている。
メタルドーム２９は、ユーザがキートップ１３を押圧すると、それにともないキー表面部材３３が弾性変形し、キー表面部材３３裏面方向に移動する。
それによって、メタルドーム２９も弾性変形をおこす、その変形量が一定程度を超えると、メタルドーム２９の一部が凹んで反対側に凸となる。
これによって、メタルドーム２９はクリック感を生じつつ固定接点３０に当接する。
メタルドーム２９と固定接点３０が当接することによって電流が流れ、この電流の流れを制御部５７が検出する。そして、このことによって、ユーザによるキートップ１３の押しこみ、つまり、ユーザによるキー入力操作を検出する。
【００３５】
回路基板２３の表面方向にはキー表面部材３３が配置されている。キー表面部材３３はユーザが押圧を行う部分である複数のキートップ１３と、前記複数のキートップ１３が接着されるキーシート３１から成っている。
キーシート３１は、例えば、透明又は半透明で容易に撓むシリコン樹脂等で構成する。
一方、キートップ１３は、透明又は半透明で比較的強度の高いプラスチック等で構成する。
なお、キートップ１３とキーシート３１とは必ずしも別体で構成する必要はなく、一体的に構成してもよい。
【００３６】
キートップ１３は、略円柱または略角柱形状を有しており、携帯電話機１の外部に露出する底面部分であるキートップ表面部１９を有している。
また、キートップ１３の側面であるキートップ外周部１７は後述するキー周辺部２６のキー周辺部側部２８と対向している。
【００３７】
第２筐体フロントケース６のうち、キートップ１３の周辺部にある部分を特にキー周辺部２６という。そして、このキー周辺部２６のうちキートップ１３のキートップ外周部１７と対向する側面をキー周辺部側部２８という。
【００３８】
回路基板２３に実装されている紫外線発光部１６は、第２筐体３の表面側からみると、周辺部側部とほぼ接する位置にまで配置している。
キートップ１３の近傍とは、キートップ１３のキートップ外周部１７と、紫外線発光部１６の外周部の面がほぼ一直線になる位置程度までをいう。
【００３９】
なぜこのような位置に、紫外線発光部１６を配置するのか説明する。
キートップ１３を照光する光が通常の可視光であると、この位置に発光部材を配置すると、光がキートップ１３以外の場所から漏洩してしまう。
つまり、発光部材から発光された光が、キー周辺部側部２８とキートップ外周部１７の間から外部に直接照射されてしまう。
それを回避するために従来は、発光部材をキートップ１３から離れた位置、例えば、図２のＡ位置に配置して、キー周辺部側部２８とキートップ外周部１７の間からの直接光の漏洩を防いでいた。
しかし、このような位置に発光部材を配置すると、照射を行いたいキートップ１３が発光部材から遠方に位置するために、同じ光量ではキートップを照光する光の光量が不足してしまう。それに対応するために光量を増やすことになるが、そうすると電力の消費量が増えてしまう。かかる事態は、バッテリ容量が限られている携帯電話機１をはじめとする携帯電子機器には不利である。
また、発光部材をキートップ１３から離れた位置でかつキートップ１３に照光可能な位置に配置するといっても、このような位置は限られているため発光部材を配置できる場所が拘束されてしまう。かかる事態は、筐体内部空間に余裕がない携帯電話機１をはじめとする携帯電子機器には不利である。
一方、本発明のように、発光部材が発光するのが紫外線である場合には、外部に直接照射されてしまっても、光が照射されていることをユーザによって認識されにくい。
そうすると、発光部材である紫外線発光部１６をキートップ１３の直下または近傍において、キー周辺部側部２８とキートップ外周部１７から直接紫外線が漏れてもユーザによって認識されにくい。
したがって、図２のように紫外線発光部１６を、キートップ１３の直下または近傍に置くことが可能となる。
【００４０】
また、紫外線発光部１６は図２又は図３のように、２つのキートップ１３の狭い空間内に配置することもできる。このように配置すると、２つのキートップ１３を１つの紫外線発光部１６によって照光することができるのであるから有利である。
【００４１】
第２筐体フロントケース６のキー周辺部２６の、表面方向位置には飾りシート２０が配置される。
【００４２】
第２筐体フロントケース６には紫外線を通過させる為の、紫外線検出用窓部２１が空けられている。この紫外線検出用窓部２１を通って紫外線が紫外線検出電子部品２２に到達する。
紫外線検出用窓部２１及び紫外線検出電子部品２２によって、紫外線検出部１５が構成される。
【００４３】
図５は、図１の携帯電話機１の信号処理系を示すブロック図である。
【００４４】
図５に示されるように、携帯電話機１は、制御・処理の中枢である制御部５７と、電源制御部５０と、通信部５１と、操作部５２と、表示部５４（８）のそれぞれが、アドレス、データ、コントロールのためのラインが複数本からなるシステムバス５８に共通に接続され、構成される。
【００４５】
電源制御部５０は、例えば、電源供給部と、電流アンプから構成される。
通信部５１は、無線通信システムを捕捉し、通信ネットワークに接続される基地局３００との間で無線通信を行い、各種データの送受信を行う。
【００４６】
操作部５２は、例えば、電源キー、通話キー、数字キー、文字キー、方向キー、決定キー、発信キー、ファンクションキーなど、各種の機能が割り当てられたスイッチ３２を有しており、これらのキーがユーザによって操作された場合に、その操作内容に対応する信号を発生し、これをユーザの指示として制御部５７に出力する。
【００４７】
表示部８は、制御部５７から供給される映像信号に応じた画像を表示する。
【００４８】
紫外線検出部１５は、携帯電話機１が外部から受けている紫外線量を検出している。
【００４９】
キー照光部５９は、紫外線発光部１６の発光状態を制御可能である。
【００５０】
制御部５７は、携帯電話機１の全体的な動作を統括的に制御する。
すなわち、制御部５７は、携帯電話機１の各種処理（回線交換網を介して行われる音声通話、電子メールの作成と送受信、インターネットのＷｅｂ上のダウンロードサイトの閲覧等）が操作部５２の操作に応じて適切な手順で実行されるように、上述した各ブロックの動作（通信部５１における信号の送受信、表示部８における画像の表示等）を制御する。
制御部５７は、紫外線検出部１５によって検出された紫外線の有無、紫外線の強度によって、キー照光部５９を制御して紫外線発光部１６を点灯又は消灯させる。さらに、制御部５７は、紫外線の強度に応じて、紫外線発光部１６の紫外線照射量を調整する。
【００５１】
また、制御部５７は、電池残量を検出して、その都度、表示更新の有無を判定し、表示部８に表示させる電池残量および受信電波強度の表示を変化させる機能を有する。
さらに、制御部５７は、電池残量に応じて紫外線発光部１６の紫外線照射量を調整してもよい。
【００５２】
図６は、本発明における紫外線発光部１６の制御方法を表すフローチャートである。
【００５３】
＜ステップ２０１の処理＞
キー入力操作が発生した場合、または、キートップ１３を照光する旨の操作又は命令が与えられた場合に、処理がスタートする。
【００５４】
＜ステップ２０２の処理＞
ステップ２０２において、紫外線検出部１５が検出している紫外線量を参照する。
【００５５】
＜ステップ２０３の処理＞
ステップ２０３において、紫外線が検出の有無を判定している。そして、紫外線が検出されている場合にはステップ２０４の処理に移行し、紫外線が検出されていない場合にはステップ２０４の処理に移行する。
【００５６】
＜ステップ２０４の処理＞
ステップ２０４において、紫外線発光部１６を制御して発光を停止する。既に発光を停止している場合には、停止を継続する。
【００５７】
＜ステップ２０５の処理＞
ステップ２０５において、紫外線発光部１６を制御して発光させる。既に発光を行っている場合には、発光を継続する。
【００５８】
＜ステップ２０６の処理＞
ステップ２０５において、入力の終了の有無又はキートップ１３を照光する旨の操作若しくは命令が継続しているか否かを判定する。
そして、入力が終了した場合又はキートップ１３を照光する旨の操作若しくは命令が終了している場合には、ステップ２０７の処理に移行する。
入力が終了していない場合又は、キートップ１３を照光する旨の操作若しくは命令が継続している場合には、ステップ２０２に再度戻って処理を継続する。
【００５９】
＜ステップ２０７の処理＞
ステップ２０７において、紫外線発光部１６を制御して発光を停止する。既に発光を停止している場合には、停止を継続する。
【００６０】
＜ステップ２０８の処理＞
ステップ２０８において、キートップ１３の照光判定処理を終了する。
【００６１】
このように、紫外線がある場合には紫外線発光部１６を消灯させるのであるから、不要な電力の消費を防ぐことができる。
【００６２】
＜変形例その１＞
以上の本発明の実施態様では紫外線の有無に応じて紫外線発光部１６を点灯又は消灯するのみであったが、紫外線が有っても紫外線が弱くてキートップ１３を照光しなければならない場合はありうる。
以下に、発明のより好適な変形例を記載する。
【００６３】
図７は、本発明の変形例を説明するフローチャートである。
【００６４】
図７は、基本的には図６で記載した内容と同様の処理を行っているが、変化させたところのみを太線で示している。図６と同じ部分については説明を省略する。
【００６５】
＜ステップ２０９＞
ステップ２０９において、紫外線の有無に加えて紫外線の強度も検出する。
【００６６】
＜ステップ２１０＞
ステップ２１０において、紫外線の強度が十分であるか検出して十分である場合には、ステップ２０４の処理に移行する。
一方、紫外線は有るものの強度として十分ではない場合には、ステップ２１１の処理に移行する。
【００６７】
＜ステップ２１１＞
ステップ２１１において、不足する紫外線量に応じて紫外線発光部１６を制御して不足する紫外線量を補充する。
【００６８】
以上のような処理を行っていることから、必要な量の紫外線を照射することができるので、電力消費を抑えることができる。
【００６９】
＜変形例その２＞
上記実施形態及び変形例その１では、電池残量に応じては制御を行っていなかったが、電池残量に応じて制御を行ってもよい。
たとえば、電池残量が多い場合には紫外線の強度が十分であっても照光させてもよい。逆に、電池残量が少ない場合には、紫外線の強度が不十分であってもわずかにしか照光させないという制御がありうる。
【００７０】
＜変形例その３＞
上記実施形態及び変形例その１では、紫外線を検出することによって、キートップ１３の照光を制御していたが、紫外線照射がない場合であっても、キー図形１８を認識可能な場合はありえる。
例えば、蛍光灯下においては紫外線の照射は無いが、携帯電話機１のキー図形１８は十分に認識可能である。
この場合には、キートップ１３を照光する必要はない。
そこで、検出する光を可視光として、可視光の有無及びその強度に応じて、紫外線発光部１６の照射量を制御してもよい。
【００７１】
以上の実施形態によれば、携帯電話機１は、第２筐体フロントケース６と、第２筐体フロントケース６の表面に配設され、第２筐体フロントケース６に照射されている外部光を検出する紫外線検出部１５と、第２筐体フロントケース６の表面に配設され、紫外線を受光して可視光を発光可能なキートップ１３とを有している。
また、第２筐体フロントケース６内部に配設され、キートップ１３に紫外線を照射可能な紫外線発光部１６と、第２筐体フロントケース６内部に配設され、スイッチ３２が形成された回路基板２３と、を有している。
そして、紫外線発光部１６は紫外線検出部１５が検出した外部光に応じて発光状態が制御される。
このような構成によって、外部光がある場合には紫外線発光部１６を消灯させるのであるから、不要な電力の消費を防ぐことができる。
【００７２】
紫外線発光部１６の制御は、紫外線検出部１５が検出する外部光の強度に応じて制御されることによって、より電力消費を抑制することができる。
【００７３】
紫外線検出部１５で検出しているのは紫外線である。
このような構成によって、紫外線が外部から供給される環境下、日光照射下等においてキートップ１３の照射が不要になるのであるから電力の消費が抑制される。
【００７４】
紫外線発光部１６は、キートップ１３の直下又は近傍に配置される。
このような構成によって、紫外線発光部１６の配置の制約が緩和され、配置の自由度が上がる。そうすることによって、携帯電話機１の設計時における負担が軽減される。
また、紫外線発光部１６をキートップ１３の近傍に配置するのであるから、少ない照光量で充分にキートップ１３を照光することができる。そしてそのことは、電力消費を抑制できるという効果を生じる。
【００７５】
紫外線発光部１６は、隣接するキートップ１３の間に配設されており、隣接するキートップ１３の両者を照光可能である。
このような構成によって、隣接するキートップ１３を同時に照光することができる。さらに、また、紫外線発光部１６を隣接するキートップ１３の近傍に配置するのであるから、少ない照光量で充分に隣接するキートップ１３を照光することができる。そしてそのことは、電力消費を抑制できるという効果を生じる。
【００７６】
前記キートップ１３は、基体３４と、キートップ１３の表面に印刷されたキー図形１８と、を有し、キー図形１８は紫外線を受光して可視光を発光可能な材料によって印刷されている。
このような構成によって、蛍光するキートップ１３を作製することができる。
【００７７】
キートップ１３は、基体３４と、キートップ１３の表面に印刷されたキー図形１８と、を有し、基体３４は紫外線を受光して可視光を発光可能な材料を含んで構成されている。
このような構成によって、蛍光材料を十分に含んだキートップ１３の基体を作製することができる。そしてそのことは、十分な照光量を確保できるという効果を生じさせる。
【００７８】
本発明は、以上の実施形態に限定されず、種々の態様で実施されてよい。
【００７９】
携帯電子機器は、携帯電話機１に限定されない。例えば、携帯電子機器は、ノートパソコン、ＰＤＡ、ゲーム機、カメラであってもよい。また、携帯電子機器は、折り畳み式のものに限定されない。ケースが一体的に構成されたもの（１つのみのケース）であってもよい。
【符号の説明】
【００８０】
１…携帯電話機、２…第１筐体、３…第２筐体、４…第１筐体フロントケース、５…第１筐体リアケース、６…第２筐体フロントケース、７…第２筐体リアケース、８…表示部、９…連結部、１０…入力部、１１…右側面、１２…左側面、１３…キートップ、１５…紫外線検出部（外部光検出部）、１６…紫外線発光部、１７…キートップ外周部、１８…キー図形、１９…キートップ表面部、２０…飾りシート、２１…紫外線検出用窓部、２２…紫外線検出電子部品、２３…回路基板、２４…内部筐体、２５…バッテリ、２６…キー周辺部、２７…バッテリカバー、２８…キー周辺部側部、２９…メタルドーム、３０…、固定接点、３１…キーシート、３２…スイッチ、３３…キー表面部材、３４…基体、
５０…電源制御部、５１…通信部、５２…操作部、５７…制御部、５８…システムバス、５９…キー照光部
【図１】
2010232936.tif 000003
【図２】
2010232936.tif 000004
【図３】
2010232936.tif 000005
【図４】
2010232936.tif 000006
【図５】
2010232936.tif 000007
【図６】
2010232936.tif 000008
【図７】
2010232936.tif 000009